(57)【要約】【課題】  紐状のストラップの両端部に簡単に取り付けられるようにする。【解決手段】  紐状のストラップＳの両端部に取り付けられる雄型連結具２及び雌型連結具３から成るストラップ用連結具１に於いて、雄型連結具２は、ストラップＳの一端部を収容保持し、ストラップＳの一端部に食い込む抜け止め用突起４ｅを形成した開閉可能な保持筒４ａ及びこれの一端に連設されたギボシ状の係合突部４ｂを備えた雄部材４と、雄部材４の保持筒４ａ外周面に緊密に嵌合される筒状の枠材５とから成り、又、雌型連結具３は、ストラップＳの他端部を収容保持し、ストラップＳの他端部に食い込む抜け止め用突起６ｅを形成した開閉可能な保持筒６ａ及びこれの一端に連設されて前記係合突部４ｂが抜き差し自在に挿入係止される環状の係止部６ｂを備えた雌部材６と、雌部材６の保持筒６ａ外周面に緊密に嵌合される筒状の枠材７とから成る。【選択図】      図３
2010104468.tif 000002
【特許請求の範囲】
【請求項１】
紐状のストラップ（Ｓ）の一端部に取り付けられる雄型連結具（２）と、紐状のストラップ（Ｓ）の他端部に取り付けられて前記雄型連結具（２）に着脱自在に連結される雌型連結具（３）とから構成したストラップ用連結具（１）に於いて、前記雄型連結具（２）は、ストラップ（Ｓ）の一端部を収容保持し且つ内周面にストラップ（Ｓ）の一端部に食い込む抜け止め用突起（４ｅ）を形成した開閉可能な保持筒（４ａ）及び保持筒（４ａ）の一端に連設されたギボシ状の係合突部（４ｂ）を備えた合成樹脂製の雄部材（４）と、ストラップ（Ｓ）の一端部を収容保持した雄部材（４）の保持筒（４ａ）外周面に緊密に嵌合されて保持筒（４ａ）を閉じた状態に保持する合成樹脂製の筒状の枠材（７）とから成り、又、前記雌型連結具（３）は、ストラップ（Ｓ）の他端部を収容保持し且つ内周面にストラップ（Ｓ）の他端部に食い込む抜け止め用突起（６ｅ）を形成した開閉可能な保持筒（６ａ）及び保持筒（６ａ）の一端に連設されて雄部材（４）の係合突部（４ｂ）が抜き差し自在に挿入係止される環状の係止部（６ｂ）を備えた合成樹脂製の雌部材（６）と、ストラップ（Ｓ）の他端部を収容保持した雌部材（６）の保持筒（６ａ）外周面に緊密に嵌合されて保持筒（６ａ）を閉じた状態に保持する合成樹脂製の筒状の枠材（７）とから成ることを特徴とするストラップ用連結具。
【請求項２】
雄型連結具（２）の雄部材（４）と枠材（５）との間に、雄部材（４）の保持筒（４ａ）外周面に嵌合された枠材（５）が雄部材（４）から外れるのを防止する係止手段を設け、又、雌型連結具（３）の雌部材（６）と枠材（７）との間に、雌部材（６）の保持筒（６ａ）外周面に嵌合された枠材（７）が雌部材（６）から外れるのを防止する係止手段を設けたことを特徴とする請求項１に記載のストラップ用連結具。
【請求項３】
雄部材（４）の保持筒（４ａ）及び雌部材（６）の保持筒（６ａ）に一端部が開放された軸線方向へ沿う複数のスリット状の溝（４ｃ），（６ｃ）を夫々形成して両保持筒（４ａ），（６ａ）を円周方向に複数に分割すると共に、両保持筒（４ａ），（６ａ）の分割した一部分を夫々外方へ開閉可能に構成し、少なくとも前記両保持筒（４ａ），（６ａ）の開閉部分（４ｄ），（６ｄ）の内面にストラップ（Ｓ）の端部に食い込む抜け止め用突起（４ｅ），（６ｅ）を夫々形成したことを特徴とする請求項１又は請求項２に記載のストラップ用連結具。
【請求項４】
雄型連結具（２）の枠材（５）の内周面及び雌型連結具（３）の枠材（７）の内周面に、雄部材（４）の保持筒（４ａ）先端及び雌部材（６）の保持筒（６ａ）先端を縮径させる断面形状がテーパ状の縮径部（５ａ），（７ａ）を夫々形成したことを特徴とする請求項１、請求項２又は請求項３に記載のストラップ用連結具。
【請求項５】
雄部材（４）の保持筒（４ａ）先端の外周面及び雌部材（６）の保持筒（６ａ）先端の外周面を先細り状のテーパ面（４ｆ），（６ｆ）に夫々形成して雄部材（４）の保持筒（４ａ）先端及び雌部材（６）の保持筒（６ａ）先端の肉厚を薄くすると共に、雄部材（４）の保持筒（４ａ）先端及び雌部材（６）の保持筒（６ａ）先端に複数の切欠（４ｇ），（６ｇ）を夫々形成したことを特徴とする請求項４に記載のストラップ用連結具。
【請求項６】
雄部材（４）の保持筒（４ａ）と雌部材（６）の保持筒（６ａ）とを同じ大きさ及び同じ形状とすると共に、雄部材（４）の保持筒（４ａ）外周面に嵌合される枠材（５）と雌部材（６）の保持筒（６ａ）外周面に嵌合される枠材（７）とを同じ大きさ及び同じ形状としたことを特徴とする請求項１、請求項２、請求項３、請求項４又は請求項５に記載のストラップ用連結具。
【発明の詳細な説明】
【技術分野】
【０００１】
本発明は、主に首にかけてアクセサリーとして使用するネックストラップや携帯電話、ＩＤカード、名刺等を首からぶら下げるのに使用するネックストラップ等のストラップの両端部に取り付けられてストラップの両端部同士を連結又は分離するのに用いるストラップ用連結具の改良に係り、特に、紐状のストラップの両端部に簡単且つ容易に取り付けられてストラップの両端部から抜け落ちないようにしたストラップ用連結具に関するものである。
【背景技術】
【０００２】
従来、この種のストラップ用連結具としては、ストラップの一端部に雄型連結具を、又、ストラップの他端部に雌型連結具を夫々取り付け、雄型連結具及び雌型連結具を連結又は分離することによって、ストラップを開閉するようにした構造のものが知られている（例えば、特許文献１参照）。
【０００３】
即ち、前記ストラップ用連結具は、図１４（Ａ）及び図１４（Ｂ）に示す如く、ストラップＳの一端部に取り付けた雄型連結具１０と、ストラップＳの他端部に取り付けられて雄型連結具１０に着脱自在に連結される雌型連結具１１とから構成されており、前記雄型連結具１０は、ストラップＳの一端部に嵌められてストラップＳの一端部を締め付ける金属製リング１２と、ストラップＳの一端部を金属製リング１２ごと収容保持する筒状の収容部１３ａ及び収容部１３ａの反対側へ突出する係合突起１３ｂを備えた金属製の雄部材１３とから成り、又、前記雌型連結具１１は、ストラップＳの他端部に嵌められてストラップＳの他端部を締め付ける金属製リング１４と、ストラップＳの他端部を金属製リング１４ごと収容保持する筒状の収容部１５ａ及び雄部材１３の係合突起１３ｂを受け入れる筒状の受け部１５ｂを備えた金属製の雌部材１５と、雌部材１５の受け部１５ｂに嵌め込まれて雄部材１３の係合突起１３ｂが抜き差し自在に係合されるウレタン樹脂製の弾性リング１６とから成る。
【０００４】
而して、このストラップ用連結具は、雄型連結具１０の係合突起１３ｂを雌型連結具１１の弾性リング１６内に押し込んで弾性リング１６を貫通させると、係合突起１３ｂの球体１３ｂ′が弾性リング１６から抜け出て弾性リング１６により抜け止めされ、雄型連結具１０及び雌型連結具１１が連結された状態となり、又、雄型連結具１０及び雌型連結具１１を引き離す方向へ強めに引っ張ると、雄型連結具１０の係合突起１３ｂが雌型連結具１１の弾性リング１６から抜け、雄型連結具１０及び雌型連結具１１が分離された状態となる。
【０００５】
前記ストラップ用連結具は、雄型連結具１０の雄部材１３及び雌型連結具１１の雌部材１５の外径をストラップＳの外径と略等しくしているため、美感を向上させることができ、又、ストラップＳの両端部を金属製リング１２，１４で締め付けて金属製リング１２，１４ごと雄部材１３及び雌部材１５の筒状の収容部１３ａ，１５ａで夫々収容保持するようにしているため、ストラップＳの端部を丸めて抜け止めとするようなことがなく、比較的径の太いストラップＳにも適用できると云う利点がある。
【０００６】
ところで、上述した従来のストラップ用連結具は、ストラップＳの両端部に金属製リング１２，１４を嵌めてかしめ、ストラップＳの両端部を金属製リング１２，１４ごと雄部材１３の収容部１３ａ及び雌部材１５の収容部１５ａに夫々嵌め込み、両収容部１３ａ，１５ａの開口端を内方へかしめることによって、ストラップＳの端部に抜け止めされた状態で取り付けられている。
【０００７】
ところが、従来の前記ストラップ用連結具は、これをストラップＳの両端部に取り付ける際に、二つの金属製リング１２，１４のかしめ加工、雄部材１３の収容部１３ａのかしめ加工、雌部材１５の収容部１５ａのかしめ加工等を夫々必要とし、工程数が増えてストラップＳへの取り付けに極めて手数がかかると云う問題があった。
【０００８】
又、従来のストラップ用連結具は、雄部材１３及び雌部材１５が何れも金属材により形成されているため、雌部材１５に雄部材１３の係合突起１３ｂが抜き差し自在に係合されるウレタン樹脂製の弾性リング１６を取り付けなければならず、部品点数が増えてコストの高騰を招くと共に、かしめ加工の工程が増えると云う問題があった。
【０００９】
更に、従来のストラップ用連結具は、ストラップＳの両端部を金属製リング１２，１４でかしめ、この金属製リング１２，１４をストラップＳの端部と一緒に雄部材１３の収容部１３ａ及び雌部材１５の収容部１５ａに夫々収容し、両収容部１３ａ，１５ａの開口端を内方へかしめてストラップＳの端部及び金属製リング１２，１４を抜け止めするようにしているが、金属製リング１２，１４はただ単にストラップＳの端部にかしめているだけであるため、雄部材１３及び雌部材１５やストラップＳに大きな引っ張り力がかかると、雄部材１３及び雌部材１５がストラップＳの端部から抜け落ちると云う問題があった。
【特許文献１】特開２００７−８２６０３号公報
【発明の開示】
【発明が解決しようとする課題】
【００１０】
本発明は、このような問題点に鑑みて為されたものであり、その目的は、紐状のストラップの両端部に簡単且つ容易に取り付けることができると共に、ストラップの端部から抜け落ちるのを防止できるようにしたストラップ用連結具を提供することにある。
【課題を解決するための手段】
【００１１】
上記目的を達成するために、本発明の請求項１の発明は、紐状のストラップの一端部に取り付けられる雄型連結具と、紐状のストラップの他端部に取り付けられて前記雄型連結具に着脱自在に連結される雌型連結具とから構成したストラップ用連結具に於いて、前記雄型連結具は、ストラップの一端部を収容保持し且つ内周面にストラップの一端部に食い込む抜け止め用突起を形成した開閉可能な保持筒及び保持筒の一端に連設されたギボシ状の係合突部を備えた合成樹脂製の雄部材と、ストラップの一端部を収容保持した雄部材の保持筒外周面に緊密に嵌合されて保持筒を閉じた状態に保持する合成樹脂製の筒状の枠材とから成り、又、前記雌型連結具は、ストラップの他端部を収容保持し且つ内周面にストラップの他端部に食い込む抜け止め用突起を形成した開閉可能な保持筒及び保持筒の一端に連設されて雄部材の係合突部が抜き差し自在に挿入係止される環状の係止部を備えた合成樹脂製の雌部材と、ストラップの他端部を収容保持した雌部材の保持筒外周面に緊密に嵌合されて保持筒を閉じた状態に保持する合成樹脂製の筒状の枠材とから成ることに特徴がある。
【００１２】
本発明の請求項２の発明は、雄型連結具の雄部材と枠材との間に、雄部材の保持筒外周面に嵌合された枠材が雄部材から外れるのを防止する係止手段を設け、又、雌型連結具の雌部材と枠材との間に、雌部材の保持筒外周面に嵌合された枠材が雌部材から外れるのを防止する係止手段を設けたことに特徴がある。
【００１３】
本発明の請求項３の発明は、雄部材の保持筒及び雌部材の保持筒に一端部が開放された軸線方向へ沿う複数のスリット状の溝を夫々形成して両保持筒を円周方向に複数に分割すると共に、両保持筒の分割した一部分を夫々外方へ開閉可能に構成し、少なくとも前記両保持筒の開閉部分の内面にストラップの端部に食い込む抜け止め用突起を夫々形成したことに特徴がある。
【００１４】
本発明の請求項４の発明は、雄型連結具の枠材の内周面及び雌型連結具の枠材の内周面に、雄部材の保持筒先端及び雌部材の保持筒先端を縮径させる断面形状がテーパ状の縮径部を夫々形成したことに特徴がある。
【００１５】
本発明の請求項５の発明は、雄部材の保持筒先端の外周面及び雌部材の保持筒先端の外周面を先細り状のテーパ面に夫々形成して雄部材の保持筒先端及び雌部材の保持筒先端の肉厚を薄くすると共に、雄部材の保持筒先端及び雌部材の保持筒先端に複数の切欠を夫々形成したことに特徴がある。
【００１６】
本発明の請求項６の発明は、雄部材の保持筒と雌部材の保持筒とを同じ大きさ及び同じ形状とすると共に、雄部材の保持筒外周面に嵌合される枠材と雌部材の保持筒外周面に嵌合される枠材とを同じ大きさ及び同じ形状としたことに特徴がある。
【発明の効果】
【００１７】
本発明の請求項１のストラップ用連結具は、紐状のストラップの一端部に取り付けられる雄型連結具が、ストラップの一端部を収容保持し且つ内周面にストラップの一端部に食い込む抜け止め用突起を形成した開閉可能な保持筒及び保持筒の一端に連設されたギボシ状の係合突部を備えた合成樹脂製の雄部材と、ストラップの一端部を収容保持した雄部材の保持筒外周面に緊密に嵌合される合成樹脂製の筒状の枠材とから成り、又、紐状のストラップの他端部に取り付けられる雌型連結具が、ストラップの他端部を収容保持し且つ内周面にストラップの他端部に食い込む抜け止め用突起を形成した開閉可能な保持筒及び保持筒の一端に連設されて雄部材の係合突起が抜き差し自在に挿入係止される環状の係止部を備えた合成樹脂製の雌部材と、ストラップの他端部を収容保持した雌部材の保持筒外周面に緊密に嵌合される合成樹脂製の筒状の枠材とから成るため、雄型連結具及び雌型連結具をストラップの両端部に取り付ける際には、雄部材の保持筒内及び雌部材の保持筒内にストラップの一端部及び他端部を夫々収容保持し、この状態で雄部材の保持筒外周面及び雌部材の保持筒外周面に筒状の枠材を夫々嵌めるだけで良い。
その結果、本発明の請求項１のストラップ用連結具は、冒頭で述べた従来の金属製のストラップ用連結具のように多数のかしめ加工を必要とすることがなく、ストラップの両端部への取り付けを簡単且つ容易に行えて作業能率の大幅な向上を図ることができる。
又、本発明の請求項１のストラップ用連結具は、雄型連結具及び雌型連結具を夫々合成樹脂材により形成し、雄型連結具の雄部材にギボシ状の係合突部を形成すると共に、雌型連結具の雌部材に雄部材の係合突部が抜き差し自在に挿入係止される環状の係止部を形成しているため、従来のストラップ用連結具のように金属製の雌部材にウレタン樹脂製の弾性リングを取り付ける必要もなく、従来のストラップ用連結具に比較して部品点数の削減及びコストの低減を図ることができる。
更に、本発明の請求項１のストラップ用連結具は、ストラップの一端部を収容保持する雄部材の保持筒内周面及びストラップの他端部を収容保持する雌部材の保持筒内周面にストラップの端部に食い込む抜け止め用突起を夫々形成しているため、雄型連結具及び雌型連結具やストラップに大きな引っ張り力がかかっても、雄型連結具及び雌型連結具がストラップの端部から抜け落ちると云うことがない。
【００１８】
本発明の請求項２〜請求項６のストラップ用連結具は、上記効果に加えて更に次のような優れた効果を奏することができる。
【００１９】
即ち、本発明の請求項２のストラップ用連結具は、雄型連結具の雄部材と枠材との間に、雄部材の保持筒外周面に嵌合された枠材が雄部材から外れるのを防止する係止手段を設け、又、雌型連結具の雌部材と枠材との間に、雌部材の保持筒外周面に嵌合された枠材が雌部材から外れるのを防止する係止手段を設けているため、各枠材が雄部材及び雌部材から外れると云うことがなく、延いては雄型連結具及び雌型連結具がストラップの端部から抜け落ちるのを確実に防止することができる。
【００２０】
本発明の請求項３のストラップ用連結具は、雄部材の保持筒及び雌部材の保持筒に一端部が開放された軸線方向へ沿う複数のスリット状の溝を夫々形成して両保持筒を円周方向に複数に分割すると共に、両保持筒の分割した一部分を夫々外方へ開閉可能に構成しているため、雄部材及び雌部材の各保持筒内にストラップの端部を極めて収容し易くなり、ストラップの端部への取り付けをより一層簡単且つ容易に行えることになる。
又、本発明の請求項３のストラップ用連結具は、雄部材及び雌部材の各保持筒の開閉部分の内面にストラップの端部に食い込む抜け止め用突起を夫々形成しているため、両保持筒にストラップの端部を収容保持する際に抜け止め用突起が邪魔になると云うこともない。
【００２１】
本発明の請求項４のストラップ用連結具は、雄型連結具の枠材の内周面及び雌型連結具の枠材の内周面に、雄部材の保持筒先端及び雌部材の保持筒先端を縮径させるテーパ状の縮径部を夫々形成しているため、雄型連結具及び雌型連結具をストラップの両端部に取り付けたときには、雄部材及び雌部材の各保持筒先端が縮径してストラップの端部をより強く挾持することになり、雄型連結具及び雌型連結具がストラップの端部からより一層抜け落ち難くなる。
【００２２】
本発明の請求項５のストラップ用連結具は、雄部材の保持筒先端の外周面及び雌部材の保持筒先端の外周面を先細り状のテーパ面に夫々形成して雄部材の保持筒先端及び雌部材の保持筒先端の肉厚を薄くすると共に、雄部材の保持筒先端及び雌部材の保持筒先端に複数の切欠を夫々形成しているため、雄部材及び雌部材の各保持筒先端が雄型連結具及び雌型連結具の各枠材の縮径部により確実且つ容易に縮径し、ストラップの端部を確実且つ良好に挾持固定することになる。
【００２３】
本発明の請求項６のストラップ用連結具は、雄部材の保持筒と雌部材の保持筒とを同じ大きさ及び同じ形状にし、又、雄部材の保持筒外周面に嵌合される枠材と雌部材の保持筒外周面に嵌合される枠材とを同じ大きさ及び同じ形状にしているため、金型を造り易くなるうえ、金型の種類が少なくて済み、製造コストの低減を図ることができる。
【発明を実施するための最良の形態】
【００２４】
以下、本発明の実施の形態を図面に基づいて詳細に説明する。
図１〜図４は本発明の実施の形態に係るストラップ用連結具１を示し、当該ストラップ用連結具１は、主に首にかけてアクセサリーとして使用するネックストラップやＩＤカード等を首からぶら下げるのに使用するネックストラップ等の紐状のストラップＳの両端部に取り付けられており、ストラップＳの両端部同士を連結又は分離するのに用いるものである。
【００２５】
即ち、ストラップ用連結具１は、紐状のストラップＳの一端部に取り付けられた雄型連結具２と、紐状のストラップＳの他端部に取り付けられて雄型連結具２に着脱自在に連結される雌型連結具３とから構成されており、雄型連結具２及び雌型連結具３を連結又は分離することによって、ストラップＳを開閉できるようになっている。
尚、紐状のストラップＳには、エラストマー樹脂にチタンの粉末又は粒を混入して棒状に成形した可撓性の中芯を合成繊維製の生地で被覆したものが使用されている。
【００２６】
前記雄型連結具２は、図３〜図５に示す如く、ストラップＳの一端部を収容保持する開閉可能な保持筒４ａ及び保持筒４ａの一端に連設されて保持筒４ａの軸線に合致するギボシ状の係合突部４ｂを備えた弾性変形可能な合成樹脂製（例えば、ポリアミド樹脂製）の雄部材４と、ストラップＳの一端部を収容保持した雄部材４の保持筒４ａ外周面に緊密に嵌合されて開閉可能な保持筒４ａを閉じた状態に保持する弾性変形可能な合成樹脂製（例えば、ポリアミド樹脂製）の筒状の枠材５とから成る。
【００２７】
具体的には、前記雄部材４の保持筒４ａは、図７及び図８に示す如く、その内径がストラップＳの外径よりも小さめの円筒状に形成されており、ストラップＳの一端部を外方から締め付けた状態で収容保持できるようになっている。
又、保持筒４ａは、その周壁部分に形成した保持筒４ａの軸線方向に沿う複数本のスリット状の溝４ｃによって円周方向に複数に分割された格好になっており、保持筒４ａの分割された一部分が外方へ開閉可能に構成されている。
この実施の形態に於いては、保持筒４ａは、その周壁部分に保持筒４ａの軸線方向に沿う姿勢で且つ保持筒４ａの円周方向に略９０°間隔を隔てた状態で形成した二本のスリット状の溝４ｃによって円周方向に二つに分割された格好になっており、二本のスリット状の溝４ｃで挟まれた幅の狭い部分（以下、開閉部分４ｄと云う）が開閉するようになっている。この二本のスリット状の溝４ｃは、その長さが保持筒４ａの長さの約２／３の長さに形成されており、一端部が開放されて格好になっている。
更に、保持筒４ａの開閉部分４ｄは、その基端部側（保持筒４ａの周壁に連設された部分）が保持筒４ａの周壁の肉厚よりも薄肉の板状に形成されており、薄肉の基端部を中心にして保持筒４ａの内方又は外方へ揺動できるようになっている。この保持筒４ａの開閉部分４ｄは、外方へ開いた状態に保持されており、保持筒４ａ内にストラップＳの一端部を収容保持する際に内方へ閉じられるようになっている。又、保持筒４ａの開閉部分４ｄの遊端部内面には、保持筒４ａの開閉部分４ｄを内方へ閉じたときに保持筒４ａ内に収容されたストラップＳの一端部に食い込んでストラップＳの一端部が保持筒４ａから抜けないようにする楔形状の抜け止め突起４ｅが一体的に突出形成されている。
そして、保持筒４ａの先端部は、その外周面を先細り状のテーパ面４ｆに形成することによって薄肉に形成されている。又、保持筒４ａの先端には、二つの切欠４ｇが保持筒４ａの円周方向に１８０°間隔を隔てた状態で且つ対向状に形成されている。これにより、保持筒４ａは、その先端が縮径し易くなり、ストラップＳの一端部を強く締め付けた状態で収容保持できることになる。
尚、保持筒４ａの基端には、保持筒４ａの外径よりも大径に形成された円盤部４ｈが保持筒４ａの基端開口を閉塞するように連設されている。
【００２８】
前記雄部材４の係合突部４ｂは、図７及び図８に示す如く、保持筒４ａの基端開口を閉塞する円盤部４ｈの中心位置に連設されて保持筒４ａの軸線に合致する軸部４ｂ′と、軸部４ｂ′の先端に連設されて軸部４ｂ′よりも大径に形成された略球状の頭部４ｂ″とから成り、ギボシ状に形成されている。
【００２９】
前記雄型連結具２の枠材５は、図５及び図９に示す如く、雄部材４の保持筒４ａと略同じ長さの筒状に形成されており、その内径は、ストラップＳの一端部を収容保持した雄部材４の保持筒４ａ外周面に緊密に嵌合されて開閉可能な保持筒４ａを閉じた状態に保持できるように設定されている。
この実施の形態に於いては、枠材５の内径は、雄部材４の保持筒４ａの外径と同じに、又、枠材５の外径は、保持筒４ａに連設された円盤部４ｈの外径と略同じに夫々設定されている。
更に、枠材５の一端部内周面には、枠材５を雄部材４の保持筒４ａ外周面に嵌めたときに雄部材４の保持筒４ａ先端を縮径させる内方へ突出する縮径部５ａが形成されている。この縮径部５ａは、横断面形状が円弧状に形成されており、枠材５の一端部内周面に対向状に形成されている。又、各縮径部５ａの内周面の一部分は、枠材５内に挿入された雄部材４の保持筒４ａ先端が容易に縮径できるように保持筒４ａ先端の外周面に形成したテーパ面４ｆと同じ向きのテーパ面５ｂに形成されている。
【００３０】
そして、前記雄部材４と枠材５との間には、雄部材４の保持筒４ａ外周面に嵌合された枠材５が雄部材４から外れるのを防止する係止手段が設けられている。
前記係止手段は、図５、図７及び図９に示す如く、雄部材４の保持筒４ａに形成された複数の矩形状の係止孔４ｉと、枠材５の他端部内周面に形成されて保持筒４ａの各係止孔４ｉに夫々挿入係止される横断面形状が凸状の複数の係止突起５ｃとから構成されている。
この実施の形態に於いては、係止孔４ｉは、保持筒４ａにその円周方向に１８０°間隔を隔てた状態で且つ対向状に形成されていると共に、保持筒４ａ先端に形成した切欠４ｇの延長線上に来るようになっている。又、係止突起５ｃは、枠材５の他端部内周面に枠材５の円周方向に１８０°間隔を隔てた状態で且つ対向状に形成されている。
尚、係止孔４ｉ及び係止突起５ｃの形成位置及び係止突起４ｉの高さ等は、枠材５を雄部材４の保持筒４ａ外周面に嵌合して保持筒４ａ先端が枠材５内の縮径部５ａにより縮径したときに、各係止突起５ｃが各係止孔４ｉの内周縁部に挿入係止されて抜け止めされるように夫々設定されている。
【００３１】
一方、前記雌型連結具３は、図３、図４及び図６に示す如く、ストラップＳの他端部を収容保持する開閉可能な保持筒６ａ及び保持筒６ａの一端に連設されて雄部材４の係合突部４ｂが抜き差し自在に挿入係止される環状の係止部６ｂを備えた弾性変形可能な合成樹脂製（例えば、ポリアミド樹脂製）の雌部材６と、ストラップＳの他端部を収容保持した雌部材６の保持筒６ａ外周面に緊密に嵌合されて開閉可能な保持筒６ａを閉じた状態に保持する弾性変形可能な合成樹脂製（例えば、ポリアミド樹脂製）の筒状の枠材７とから成る。
【００３２】
具体的には、前記雌部材６の保持筒６ａは、図１０及び図１１に示す如く、雄部材４の保持筒４ａと全く同じ大きさで同じ構造及び同じ形状に形成されている。
即ち、雌部材６の保持筒６ａは、その内径がストラップＳの外径よりも小さめの円筒状に形成されており、ストラップＳの他端部を外方から締め付けた状態で収容保持できるようになっている。
又、保持筒６ａは、その周壁部分に形成した保持筒６ａの軸線方向に沿う複数本のスリット状の溝６ｃによって円周方向に複数に分割された格好になっており、保持筒６ａの分割された一部分が外方へ開閉可能に構成されている。
この実施の形態に於いては、保持筒６ａは、その周壁部分に保持筒６ａの軸線方向に沿う姿勢で且つ保持筒６ａの円周方向に略９０°間隔を隔てた状態で形成した二本のスリット状の溝６ｃによって円周方向に二つに分割された格好になっており、二本のスリット状の溝６ｃで挟まれた幅の狭い部分（以下、開閉部分６ｄと云う）が開閉するようになっている。この二本のスリット状の溝６ｃは、その長さが保持筒６ａの長さの約２／３の長さに形成されており、一端部が開放されて格好になっている。
更に、保持筒６ａの開閉部分６ｄは、その基端部側（保持筒６ａの周壁に連設された部分）が保持筒６ａの周壁の肉厚よりも薄肉の板状に形成されており、薄肉の基端部を中心にして保持筒６ａの内方又は外方へ揺動できるようになっている。この保持筒６ａの開閉部分６ｄは、外方へ開いた状態に保持されており、保持筒６ａ内にストラップＳの他端部を収容保持する際に内方へ閉じられるようになっている。又、保持筒６ａの開閉部分６ｄの遊端部内面には、保持筒６ａの開閉部分６ｄを内方へ閉じたときに保持筒６ａ内に収容されたストラップＳの他端部に食い込んでストラップＳの他端部が保持筒６ａから抜けないようにする楔形状の抜け止め突起６ｅが一体的に突出形成されている。
そして、保持筒６ａの先端部は、その外周面を先細り状のテーパ面６ｆに形成することによって薄肉に形成されている。又、保持筒６ａの先端には、二つの切欠６ｇが保持筒６ａの円周方向に１８０°間隔を隔てた状態で且つ対向状に形成されている。これにより、保持筒６ａは、その先端が縮径し易くなり、ストラップＳの他端部を強く締め付けた状態で収容保持できることになる。
【００３３】
前記雌部材６の係止部６ｂは、図１０及び図１１に示す如く、雌部材６の保持筒６ａの基端に環状に連設されており、その中心部には、雄部材４の係合突部４ｂが抜き差し自在に挿入係止される係止穴６ｂ′が形成されている。この係止穴６ｂ′の内周縁部には、雄部材４の係合突部４ｂが挿通されるときに容易に弾性変形できるように複数の切り溝６ｂ″が放射状に形成されている。
尚、係止穴６ｂ′の内径は、係止穴６ｂ′に係合突部４ｂを挿入するときに係止穴６ｂ′の内周縁部が容易に弾性変形して係合突部４ｂの頭部４ｂ″を通過させることができ、且つ頭部４ｂ″の通過後には係止穴６ｂ′の内周縁部に頭部４ｂ″が係止され、頭部４ｂ″が係止穴６ｂ′から容易に抜けないように選定されている。又、係止穴６ｂ′の内周縁部の肉厚は、係止穴６ｂ′に挿通係止された雄部材４の係合突部４ｂが軸線方向へがたつかないように設定されている。
【００３４】
前記雌型連結具３の枠材７は、図６及び図１２に示す如く、雄型連結具２の枠材５と全く同じ大きさで同じ構造及び同じ形状に形成されている。
即ち、前記枠材７は、雌部材６の保持筒６ａと略同じ長さの筒状に形成されており、その内径は、ストラップＳの他端部を収容保持した雌部材６の保持筒６ａ外周面に緊密に嵌合されて開閉可能な保持筒６ａを閉じた状態に保持できるように設定されている。
この実施の形態に於いては、枠材７の内径は、雌部材６の保持筒６ａの外径と同じに、又、枠材７の外径は、保持筒６ａに連設された環状の係止部６ｂの外径と略同じに夫々設定されている。
更に、枠材７の一端部内周面には、枠材７を雌部材６の保持筒６ａ外周面に嵌めたときに雌部材６の保持筒６ａ先端を縮径させる内方へ突出する縮径部７ａが形成されている。この縮径部７ａは、横断面形状が円弧状に形成されており、枠材７の一端部内周面に対向状に形成されている。又、各縮径部７ａの内周面の一部分は、枠材７内に挿入された雌部材６の保持筒６ａ先端が容易に縮径できるように保持筒６ａ先端の外周面に形成したテーパ面６ｆと同じ向きのテーパ面７ｂに形成されている。
【００３５】
そして、前記雌部材６と枠材７との間には、雌部材６の保持筒６ａ外周面に嵌合された枠材７が雌部材６から外れるのを防止する係止手段が設けられている。
前記係止手段は、図６、図１０及び図１２に示す如く、雌部材６の保持筒６ａに形成された複数の矩形状の係止孔６ｉと、枠材７の他端部内周面に形成されて保持筒６ａの各係止孔６ｉに夫々挿入係止される横断面形状が凸状の複数の係止突起７ｃとから構成されている。
この実施の形態に於いては、係止孔６ｉは、保持筒６ａに保持筒６ａの円周方向に１８０°間隔を隔てた状態で且つ対向状に形成されていると共に、保持筒６ａ先端に形成した切欠６ｇの延長線上に来るようになっている。又、係止突起６ｃは、枠材７の他端部内周面に枠材７の円周方向に１８０°間隔を隔てた状態で且つ対向状に形成されている。
尚、係止孔６ｉ及び係止突起７ｃの形成位置及び係止突起７ｃの高さ等は、枠材７を雌部材６の保持筒６ａ外周面に嵌合して保持筒６ａ先端が枠材７内の縮径部７ａにより縮径したときに、各係止突起７ｃが各係止孔６ｉの内周縁部に挿入係止されて抜け止めされるように夫々設定されている。
【００３６】
次に、上述したストラップ用連結具１の雄型連結具２及び雌型連結具３を紐状のストラップＳの両端部に夫々取り付ける場合について説明する。
先ず、ストラップＳの両端部を雄型連結具２の枠材５内及び雌型連結具３の枠材７内に夫々挿通し、この状態でストラップＳの両端部を周壁の一部分（開閉部分４ｄ，６ｄ）が開放された状態にある雄部材４の保持筒４ａ内及び雌部材６の保持筒６ａ内に夫々収容する（図１３（Ａ）参照）。
このとき、雄部材４の保持筒４ａの開閉部分４ｄ及び雌部材６の保持筒６ａの開閉部分６ｄが外方へ開いた状態に保持されているため、ストラップＳの両端部を雄部材４の保持筒４ａ内及び雌部材６の保持筒６ａ内に簡単且つ容易に収容することができる。
【００３７】
雄部材４の保持筒４ａ内及び雌部材６の保持筒６ａ内にストラップＳの両端部を収容したら、開いた状態に保持された各保持筒４ａ，６ａの開閉部分４ｄ，６ｄを指により内方へ閉じ、ストラップＳの両端部を雄部材４の保持筒４ａ内及び雌部材６の保持筒６ａ内に夫々収容保持する（図１３（Ｂ）参照）。
このとき、雄部材４の保持筒４ａの開閉部分４ｄの内面及び雌部材６の保持筒６ａの開閉部分６ｄの内面に夫々形成した抜け止め用突起４ｅ，６ｅがストラップＳの端部に食い込むため、ストラップＳの両端部が雄部材４の保持筒４ａ及び雌部材６の保持筒６ａから抜け落ちたりすると云うことがない。
【００３８】
ストラップＳの両端部を雄部材４の保持筒４ａ及び雌部材６の保持筒６ａで夫々収容保持したら、先にストラップＳに通した二つの枠材５，７をストラップＳに沿って夫々スライドさせ、各枠材６，７を雄部材４の保持筒４ａ外周面及び雌部材６の保持筒６ａ外周面に嵌め込んで行き、雄部材４の保持筒４ａ及び雌部材６の保持筒６ａに形成した各係止孔４ｉ，６ｉ内に各枠材５，７の内周面に形成した係止突起５ｃ，７ｃを夫々挿入係止させる。そうすると、各枠材５，７が雄部材４の保持筒４ａ及び雌部材６の保持筒６ａから外れるのを防止されると共に、ストラップＳの両端部を収容保持した雄部材４の保持筒４ａ及び雌部材６の保持筒６ａが各枠材５，７により閉じた状態に保持される。その結果、雄型連結具２及び雌型連結具３は、ストラップＳの両端部に取り付けられた状態となる（図１３（Ｃ）参照）。
このとき、雄部材４の保持筒４ａ及び雌部材６の保持筒６ａがストラップＳの両端部を外方から締め付けた状態で収容保持すると共に、保持筒４ａ，６ａの内周面に形成した抜け止め用突起４ｅ，６ｅがストラップＳの両端部に夫々食い込んだ状態になっているため、雄型連結具２及び雌型連結具３がストラップＳの両端部から抜け落ちると云うことがない。又、雄型連結具２の枠材５の内周面及び雌型連結具３の枠材７の内周面に形成したテーパ状の縮径部５ａ，７ａにより雄部材４の保持筒４ａ先端及び雌部材６の保持筒６ａ先端が夫々縮径し、ストラップＳの端部をより強く挾持した状態になっているため、雄型連結具２及び雌型連結具３がストラップＳの端部からより一層抜け落ち難くなる。
【００３９】
このように、前記ストラップ用連結具１は、雄型連結具２及び雌型連結具３をストラップＳの両端部に取り付ける際には、雄部材４の保持筒４ａ内及び雌部材６の保持筒６ａ内にストラップＳの一端部及び他端部を夫々収容保持し、この状態で雄部材４の保持筒４ａ外周面及び雌部材６の保持筒６ａ外周面に筒状の枠材５，７を夫々嵌めるだけで良く、ストラップの両端部への取り付けを簡単且つ容易に行え、作業能率の大幅な向上を図れる。
又、このストラップ用連結具１は、ストラップＳの一端部を収容保持する雄部材４の保持筒４ａの内周面及びストラップＳの他端部を収容保持する雌部材６の保持筒６ａの内周面にストラップＳの端部に食い込む抜け止め用突起４ｅ，６ｅを夫々形成しているため、雄型連結具２及び雌型連結具３やストラップＳに大きな引っ張り力がかかっても、雄型連結具２及び雌型連結具３がストラップＳの端部から抜け落ちると云うことがない。
更に、このストラップ用連結具１は、雄部材４の保持筒４ａと雌部材６の保持筒６ａとを同じ大きさの同じ構造及び同じ形状にし、又、雄部材４の保持筒４ａ外周面に嵌合される枠材５と雌部材６の保持筒６ａ外周面に嵌合される枠材７とを同じ大きさの同じ構造及び同じ形状にしているため、金型を造り易くなるうえ、金型の種類が少なくて済み、製造コストの低減を図ることができる。
【００４０】
而して、前記ストラップ用連結具１は、雄型連結具２の係合突部４ｂを雌型連結具３の係止部６ｂの係止穴６ｂ′内へ押し込むと、係合突部４ｂの頭部４ｂ″が係止穴６ｂ′の内周縁部を弾性変形させながら係止穴６ｂ′内を通過する。
雄型連結具２の係合突部４ｂの頭部４ｂ″が係止穴６ｂ′内を完全に通過すると、係止穴６ｂ′の内周縁部がその弾性力により元の状態に復元し、係合突部４ｂの頭部４ｂ″が係止穴６ｂ′の内周縁部に係止される（図３（Ｂ）参照）。その結果、雄型連結具２及び雌型連結具３は、連結された状態となり、ストラップＳを閉じた状態に保持することになる。
又、雄型連結具２及び雌型連結具３を引き離す方向へ強めに引っ張ると、雄型連結具２の係合突部４ｂの頭部４ｂ″が雌型連結具３の係止部６ｂの係止穴６ｂ′から抜ける（図１３（Ａ）参照）。その結果、雄型連結具２及び雌型連結具３は、分離された状態となり、ストラップＳが開いた状態となる。
【００４１】
尚、上記の実施の形態に於いては、ストラップ用連結具１を首にかけて使用するタイプのネックストラップに使用するようにしたが、他の実施の形態に於いては、ストラップ用連結具１を手に通して使用するタイプのハンドストラップに使用するようにしても良い。
【００４２】
又、上記の実施の形態に於いては、雄部材４の保持筒４ａの開閉部分４ｄ内面及び雌部材６の保持筒６ａの開閉部分６ｄ内面にストラップＳの端部に食い込む抜け止め用突起４ｅ，６ｅを夫々形成するようにしたが、他の実施の形態に於いては、各保持筒４ａ，６ａの開閉部分４ｄ，６ｄ以外の内周面にストラップＳの端部に食い込む抜け止め用突起４ｅ，６ｅを夫々形成しても良く、或いは各開閉部分４ｄ，６ｄの内面及び各保持筒４ａ，６ａの開閉部分４ｄ，６ｄ以外の内周面の両方にストラップＳの端部に食い込む抜け止め用突起４ｅ，６ｅを夫々形成するようにしても良い。
【図面の簡単な説明】
【００４３】
【図１】本発明の実施の形態に係るストラップ用連結具を示し、ネックストラップの両端部に取り付けたストラップ用連結具を連結した状態の拡大正面図である。
【図２】同じくストラップ用連結具を分離した状態の拡大正面図である。
【図３】ネックストラップの両端部に取り付けたストラップ用連結具の雄型連結具及び雌型連結具を示し、（Ａ）は雄型連結具及び雌型連結具を分離した状態の拡大断面図、（Ｂ）は雄型連結具及び雌型連結具を連結した状態の拡大断面図である。
【図４】図３のイ−イ線断面図である。
【図５】ストラップ用連結具の雄型連結具を示し、（Ａ）は雄型連結具の縦断正面図、（Ｂ）は雄型連結具の縦断側面図である。
【図６】ストラップ用連結具の雌型連結具を示し、（Ａ）は雌型連結具の縦断正面図、（Ｂ）は雌型連結具の縦断側面図である。
【図７】雄型連結具の雄部材を示し、（Ａ）は雄部材の正面図、（Ｂ）は雄部材の側面図、（Ｃ）は雄部材の平面図、（Ｄ）は雄部材の底面図である。
【図８】雄部材の保持筒が閉じた状態を示し、（Ａ）は雄部材の正面図、（Ｂ）は雄部材の側面図である。
【図９】雄型連結具の枠材を示し、（Ａ）は枠材の正面図、（Ｂ）は枠材の縦断側面図、（Ｃ）は枠材の平面図、（Ｄ）は枠材の底面図である。
【図１０】雌型連結具の雌部材を示し、（Ａ）は雌部材の正面図、（Ｂ）は雌部材の側面図、（Ｃ）は雌部材の平面図、（Ｄ）は雌部材の底面図である。
【図１１】雌部材の保持筒が閉じた状態を示し、（Ａ）は雌部材の正面図、（Ｂ）は雌部材の側面図である。
【図１２】雌型連結具の枠材を示し、（Ａ）は枠材の正面図、（Ｂ）は枠材の縦断側面図、（Ｃ）は枠材の平面図、（Ｄ）は枠材の底面図である。
【図１３】ネックストラップへのストラップ用連結具の取り付け状態を示す説明図である。
【図１４】従来のストラップ用連結具を示し、（Ａ）はストラップ用連結具を分離した状態の拡大断面図、（Ｂ）はストラップ用連結具を連結した状態の拡大断面図である。
【符号の説明】
【００４４】
１はストラップ用連結具、２は雄型連結具、３は雌型連結具、４は雄部材、４ａは雄部材の保持筒、４ｂは雄部材の係合突部、４ｃは雄部材のスリット状の溝、４ｄは雄部材の開閉部分、４ｅは雄部材の抜け止め突起、４ｆは雄部材のテーパ面、４ｇは雄部材の切欠、５は枠材、５ａは枠材の縮径部、６は雌部材、６ａは雌部材の保持筒、６ｂは雌部材の係合突部、６ｃは雌部材のスリット状の溝、６ｄは雌部材の開閉部分、６ｅは雌部材の抜け止め突起、６ｆは雌部材のテーパ面、６ｇは雌部材の切欠、７は枠材、７ａは枠材の縮径部、Ｓはストラップ。
【図１】
2010104468.tif 000003
【図２】
2010104468.tif 000004
【図３】
2010104468.tif 000005
【図４】
2010104468.tif 000006
【図５】
2010104468.tif 000007
【図６】
2010104468.tif 000008
【図７】
2010104468.tif 000009
【図８】
2010104468.tif 000010
【図９】
2010104468.tif 000011
【図１０】
2010104468.tif 000012
【図１１】
2010104468.tif 000013
【図１２】
2010104468.tif 000014
【図１３】
2010104468.tif 000015
【図１４】
2010104468.tif 000016